(57)【要約】      （修正有）【課題】同一オリフィスプレートシステムにおいて使用するための自己分散性インク、プリンタシステム、及び印刷方法を提供する。【解決手段】例示的なプリンタシステムは、プリントヘッド２０を備える分配システムを具備する。当該プリントヘッド２０は、オリフィスプレート２２及び第１ノズルアレイ２８Ａと流体連通している第１区画内に自己分散性ブラック顔料系インクを含有する。さらに、当該プリントヘッド２０は、オリフィスプレート２２及び第２ノズルアレイ２８Ｂと流体連通している第２区画内にカラーインクを含有する。第１ノズルアレイ２８Ａと第２ノズルアレイ２８Ｂとは、同一のオリフィスプレート２２上において互いに隣接している。【選択図】図２
2005349829.tif 000002
【特許請求の範囲】
【請求項１】
印刷ヘッド（２０）を備える分配システム（１４）を具備し、前記印刷ヘッド（２０）が、オリフィスプレート（２２）及び第１ノズルと流体連通している第１区画部分に自己分散性ブラック顔料を含み、且つ前記印刷ヘッド（２０）が、オリフィスプレート（２２）及び第２ノズルと流体連通している第２区画部分にカラーインクを含んでおり、前記第１ノズルと前記第２ノズルとが同一のオリフィスプレート（２２）上において互いに隣接している、プリンタシステム（１０）。
【請求項２】
前記自己分散性ブラック顔料が、酸化カーボンブラック、表面修飾カーボンブラック、及び酸化カーボンブラックと表面修飾カーボンブラックとの組合せから選択される、請求項１に記載のプリンタシステム（１０）。
【請求項３】
前記第１ノズル及び前記第２ノズルの各々が、同一のオリフィスプレート（２２）上において互いに隣接しているノズルアレイである、請求項１に記載のプリンタシステム（１０）。
【請求項４】
同一のオリフィスプレート（２２）上にさらに２乃至１２個の追加のノズルアレイを具備し、各ノズルアレイが互いに隣接している、請求項３に記載のプリンタシステム（１０）。
【請求項５】
オリフィスプレート（２２）を有する第１印刷ヘッドを備える分配システム（１４）を具備し、前記オリフィスプレート（２２）が、互いに隣接する第１ノズルアレイ及び第２ノズルアレイを含み、前記第１印刷ヘッドが、自己分散性ブラック顔料及びカラーインクを含み、前記自己分散性ブラック顔料が前記第１ノズルアレイを通して分配され、且つ前記カラーインクが前記第２ノズルアレイを通して分配される、プリンタシステム（１０）。
【請求項６】
同一のオリフィスプレート（２２）上にさらに２乃至１２個の追加のノズルアレイを具備し、各ノズルアレイが互いに隣接している、請求項５に記載のプリンタシステム（１０）。
【請求項７】
前記分配システム（１４）が、さらに、オリフィスプレート（２２）を有する第２印刷ヘッドを具備し、前記オリフィスプレート（２２）が、互いに隣接する第３ノズルアレイ及び第４ノズルアレイを含み、前記第２印刷ヘッドが、自己分散性ブラック顔料及びカラーインクを含み、前記自己分散性ブラック顔料が第３ノズルアレイを通して分配され、且つ前記カラーインクが第４ノズルアレイを通して分配される、請求項５に記載のプリンタシステム（１０）。
【請求項８】
自己分散性ブラック顔料インク調合物であって、
自己分散性ブラック顔料インク調合物の約０．６〜６ｗｔ％の量の自己分散性ブラック顔料と、
自己分散性ブラック顔料インク調合物の約１０〜３５ｗｔ％の量の溶媒と、
自己分散性ブラック顔料インク調合物の約０．０１〜６ｗｔ％の量の塩と、
自己分散性ブラック顔料インク調合物の約４５〜９０ｗｔ％の量の水溶液と、
を含んで成る、自己分散性ブラック顔料インク調合物。
【請求項９】
互いに隣接している第１ノズルアレイ及び第２ノズルアレイを備えたオリフィスプレート（２２）を有する第１印刷ヘッドを具備した分配システム（１４）を設けるステップと、
自己分散性ブラック顔料及びカラーインクを分配するステップであって、前記第１ノズルアレイを通して自己分散性顔料を分配し、且つ前記第２ノズルアレイを通してカラーインクを分配する、ステップと、
を包含する印刷方法。
【発明の詳細な説明】
【技術分野】
【０００１】
本発明は、概して、インクジェット印刷に関し、より詳細には、同一オリフィスプレートシステムにおいて使用するための自己分散性インクに関する。
【背景技術】
【０００２】
オフィス及び家庭におけるインクジェット印刷システムの利用は、近年、劇的に進展した。この進展は、インクジェットプリンタの徹底的なコストの低減と、印刷分解能及び総合的な印刷品質が実質的に改善されたことによるものと考えられる。印刷品質は急激に改善されてはいるが、インクジェット画像の永続性の改善に主眼を置く研究開発努力は今なお行われている。何故なら、この特性は、他の印刷及び写真技術によって達成された永続性にはまだ達していないからである。インクジェット印刷においては、妥当なコストを維持しながら、高品質で、永続性に優れ、且つ高耐久性の画像を作り出すことが今なお必要とされている。
【０００３】
インクジェット印刷では、印刷ヘッドとして知られる液滴発生装置から精密なドットパターンが射出される際に、印刷媒体上にインクジェット画像が形成される。典型的なインクジェット印刷ヘッドは、ノズルプレート上に配置され且つインクジェット印刷ヘッドアレイに取り付けられた、精密に形成されたノズルを有する。当該ノズルの直径は、典型的に３０〜４０μｍである。インクジェット印刷ヘッドアレイは、液体ビヒクル中に溶解又は分散している顔料系インク及び／又は染料系インクはじめとする液体インクを１つ以上のインク容器との流体連通を介して受容するところの、射出チャンバアレイを備えている。各チャンバでは、射出抵抗体として知られる薄膜抵抗体がノズルに対向して配置されており、それによって、射出抵抗体とノズルとの間にインクを溜めることができる。印刷ヘッドは、印刷カートリッジ又はインクジェットペンと呼ばれる外側パッケージによって保持され且つ保護されている。
【発明の開示】
【発明が解決しようとする課題】
【０００４】
特定の射出抵抗体が励起されると、ノズルを介してインク滴が印刷媒体の方に噴出され、画像が生成される。カラーインクとブラックインクは、通常、別々の印刷ヘッドから噴出される。その理由は、ブラックインクとカラーインクとが反応すると、詰まりを生ずるか、又は印刷ヘッドからのインクの噴出が妨害されるからである。
【課題を解決するための手段】
【０００５】
簡単に言えば、本開示の実施形態には、プリンタシステム、自己分散性ブラック顔料インク調合物、並びに印刷方法が包含される。例示的な１つのプリンタシステムは、印刷ヘッドを備える分配システムを具備する。当該印刷ヘッドは、オリフィスプレート及び第１ノズルと流体連通している第１区画部分に自己分散性ブラック顔料を収容している。加えて、当該印刷ヘッドは、オリフィスプレート及び第２ノズルと流体連通している第２区画部分にカラーインクを収容している。第１ノズルと第２ノズルとは、同一のオリフィスプレート上において互いに隣接している。
【０００６】
他の例示的なプリンタシステムは、オリフィスプレートを有する第１印刷ヘッドを備えた分配システムを具備する。当該オリフィスプレートは、互いに隣接する第１ノズルアレイと第２ノズルアレイを備える。第１印刷ヘッドは、自己分散性ブラック顔料及びカラーインクを含んでいる。自己分散性ブラック顔料は第１ノズルアレイを通して分配され、カラーインクは第２ノズルアレイを通して分配される。
【０００７】
例示的な１つの自己分散性ブラック顔料インク調合物は、当該自己分散性ブラック顔料インク調合物の約０．６〜６ｗｔ％の量の自己分散性ブラック顔料、約１０〜３５ｗｔ％の量の溶媒、約０．０１〜６ｗｔ％の量の塩、及び約４５〜９０ｗｔ％の量の水溶液を含んで成る。
【０００８】
例示的な１つの印刷方法は、互いに隣接する第１ノズルアレイと第２ノズルアレイを備えたオリフィスプレートを有する第１印刷ヘッドを具備した分配システムを設けるステップと、自己分散性ブラック顔料及びカラーインクを分配するステップであって、自己分散性ブラック顔料を第１ノズルアレイを通して分配し且つカラーインクを第２ノズルアレイを通して分配するステップとを包含する。
【発明の効果】
【０００９】
本発明によれば、同一オリフィスプレートシステムにおいて使用し得る自己分散性インクを提供することができる。
【発明を実施するための最良の形態】
【００１０】
添付の図面を参照することで、本開示の多くの態様をさらによく理解することができる。図面中の構成要素は、必ずしも正確な縮尺関係にはない。さらに、図面においては、複数の図にわたって、類似する部品を類似する符号を付して表している。
【００１１】
自己分散性インク、並びに自己分散性インクを用いた同一オリフィスプレート（ＳＯＰ）プリンタシステムに関し記載する。本開示を実践することにより、ノズルを閉塞させることなく同一オリフィスプレートの隣接ノズルからブラックの自己分散性顔料インク調合物とカラーインクとを分配することができる。分配後、当該ブラック自己分散性顔料インク調合物は、他のインクと比較して、適切な印刷品質、スミア（擦り汚れ）特性、光学濃度、及び耐水性を達成すると共に、印刷媒体上に分配されたカラー染料に関して妥当なブリード特性を達成する、安定な調合物である。
【００１２】
図１に、コンピュータ制御システム１２、インク分配システム１４、及び印刷媒体１８を含んで成る代表的なＳＯＰプリンタシステム１０のブロック図を示す。コンピュータ制御システム１２には、インク分配システム１４を制御する機能を有するプロセス制御システムが含まれる。詳細には、コンピュータ制御システム１２は、文字、記号、写真等を印刷媒体１８上に印刷するようインク分配システム１４に指令し且つ制御する。
【００１３】
インク分配システム１４には、限定はしないが、インク（例えば、染料系インク及び顔料系インク）を印刷媒体上に分配するところの、在来のインクジェット技術及び在来のコーティング技術が含まれる。ドロップオンデマンドインクジェット技術及び連続フローインクジェット技術などのインクジェット技術を用いて、インクを分配することができる。インク分配システム１４は、図２に示すように印刷ヘッド２２の複数のノズル２６のうちの１つ又は複数を介してインクを分配（例えば、噴射）するよう作用するところの、少なくとも１つの在来のインクジェット印刷ヘッドシステム２０（例えば、サーマルインクジェット印刷ヘッド及び／又は圧電インクジェット印刷ヘッド）を具備することができる。印刷ヘッド２２は、オリフィスプレート２４上に互いに隣接して配置された第１ノズルアレイ２８Ａと第２ノズルアレイ２８Ｂとを有する。印刷ヘッドシステム２０は、液体ビヒクル中に溶解もしくは分散しているインク（例えば、ブラック自己分散性顔料インクとカラーインク）を受容する射出チャンバアレイ（図示せず）を備え、該射出チャンバアレイは１つ以上のインク容器（図示せず）と流体連通している。印刷ヘッド２２は、４乃至１４個のノズルアレイを含むことができ、この場合、各ノズルアレイは、少なくとも１つの他のノズルアレイに隣接して配置されることに留意されたい。
【００１４】
上述のように、第１ノズルアレイ２８Ａと第２ノズルアレイ２８Ｂは、同一のオリフィスプレート２４上において互いに隣接している。第１ノズルアレイ２８Ａと第２ノズルアレイ２８Ｂは互いに隣接しているとはいえ、ブラック自己分散性顔料インク調合物とカラーインクとは反応せず、それ故、詰まりを生じたり又はそれらの各々のノズルアレイからのブラック自己分散性顔料インク調合物及びカラーインクの何れかの分配が妨害されることはほとんどない。例えば、ブラック自己分散性顔料インク調合物は第１ノズルアレイ２８Ａから分配され、一方、カラーインクは第２ノズルアレイ２８Ｂから分配される。それらインクは同一のオリフィスプレート２４から分配されるが、ブラック自己分散性顔料インク調合物とカラーインクの分配によって、詰まりが生じたり又はブラック自己分散性顔料インク調合物とカラーインクの何れかの分配が妨害されることはほとんどない。
【００１５】
図３は、ＳＯＰプリンタシステム１０を用いて印刷媒体上に印刷するための代表的な方法３０を表すフロー図である。ブロック３２において、印刷媒体及びＳＯＰプリンタシステム１０を設ける。ＳＯＰプリンタシステム１０は、ブラック自己分散性顔料インク調合物と少なくとも１つのカラーインクを含むインク分配システム１４を具備する。ブロック３４において、ブラック自己分散性顔料インク調合物及びカラーインクを、インク分配システム１４を用いて印刷媒体１８上に付着させる。ブラック自己分散性顔料インク調合物及びカラーインクは、印刷ヘッドシステム２０から分配される。詳細には、ブラック自己分散性顔料インク調合物とカラーインクとは、同一オリフィスプレート２４上の隣接したノズルアレイ（即ち、第１及び第２ノズルアレイ、２８Ａ及び２８Ｂ）から分配される。
【００１６】
用語「印刷媒体」には、限定はしないが、紙基材、写真ベース基材、プラスチック媒体（例えば、透明〜不透明プラスチックフィルム）基材等が包含され得る。印刷媒体として、限定はしないが、ポリマー、紙、ガラス、セラミック、織布、又は不織布材料から作られた硬質もしくは可撓性の材料を挙げることができる。
【００１７】
ブラック自己分散性顔料インク調合物は、限定はしないが、溶媒、塩、緩衝剤、殺生物剤、及び界面活性剤を含有し得る。当該ブラック自己分散性顔料インク調合物は、限定はしないが、自己分散性カーボンブラックなどの、化学修飾された水分散性顔料を含有する。この化学修飾によって、有機顔料をはじめとするブラック自己分散性顔料インク前駆体に水分散性が賦与される。例えば、自己分散性カーボンブラックとしては、酸化カーボンブラック、表面修飾カーボンブラック、及び酸化カーボンブラックと表面修飾カーボンブラックとの組合せが挙げられる。
【００１８】
自己分散性又は水溶性を賦与するために、限定はしないが、少なくとも１つの芳香族基又はＣ１−Ｃ１２アルキル基及び少なくとも１つのイオン基又はイオン化可能基などの、１つ又は複数の有機基を付加することで顔料を修飾することができる。イオン化可能基は、水性媒体中でそのイオン基を形成するものである。イオン基は、アニオン性又はカチオン性とし得る。芳香族基は、置換されていても又は未置換でもよい。例として、フェニル又はナフチル基が挙げられ、そしてイオン基としては、限定はしないが、スルファニル酸、スルフィン酸、ホスホン酸、カルボン酸、アンモニウム、第４アンモニウム、又はホスホニウム基を挙げることができる。
【００１９】
選択するプロセスに応じて、ブラック自己分散性顔料インクは、性質上、アニオン性又はカチオン性の何れともし得る。市販されているように、アニオン性発色団は、通常、ナトリウムあるいはカリウムといったカチオンと結合し、そしてカチオン性発色団は、通常、塩化物又は硫酸塩といったアニオンと結合する。
【００２０】
ブラック自己分散性顔料インクを作る１つの方法は、少なくとも１つの酸性官能基を有するアリールジアゾニウム塩によってブラック自己分散性顔料インク前駆体を処理するステップを包含する。アリールジアゾニウム塩の例として、スルファニル酸、４−アミノ安息香酸、４−アミノサリチル酸、７−アミノ−４−ヒドロキシ−２−ナフタレンスルホン酸、アミノフェニルホウ素酸  アミノフェニルホスホン酸及びメタニル酸から調製されるものが挙げられる。
【００２１】
上述したものと同じ有機基に結合し得るカチオン基の典型例は、アンモニウム、第４アンモニウム基、第４ホスホニウム基、及びプロトン化アミン基である。
【００２２】
ブラック自己分散性顔料インク、並びに官能化基を付着させる方法は、米国特許第５、７０７，４３２号、第５、６３０，８６８号、第５、５７１，３１１号、及び第５、５５４，７３９号に記載されている。
【００２３】
本開示を実施するにあたり、以下のブラック顔料が有用である。しかしながら、当該リストは、単なる例示であって本開示を限定するものではない。カボット社から入手可能なＭｏｎａｒｃｈ（商標）１４００、Ｍｏｎａｒｃｈ（商標）１３００、Ｍｏｎａｒｃｈ（商標）１１００、Ｍｏｎａｒｃｈ（商標）１０００、Ｍｏｎａｒｃｈ（商標）９００、Ｍｏｎａｒｃｈ（商標）８８０、Ｍｏｎａｒｃｈ（商標）８００、及びＭｏｎａｒｃｈ（商標）７００、Ｃａｂ−Ｏ−Ｊｅｔ（商標）２００及びＣａｂ−Ｏ−Ｊｅｔ（商標）３００といったブラック顔料。コロンビアン社から入手可能なＲａｖｅｎ  ７０００、Ｒａｖｅｎ  ５７５０、Ｒａｖｅｎ  ５２５０、Ｒａｖｅｎ  ５０００、及びＲａｖｅｎ  ３５００といったブラック顔料。デグッサ社から入手可能なＣｏｌｏｒ  Ｂｌａｃｋ  ＦＷ  ２００、Ｃｏｌｏｒ  Ｂｌａｃｋ  ＦＷ  ２、Ｃｏｌｏｒ  Ｂｌａｃｋ  ＦＷ  ２Ｖ、Ｃｏｌｏｒ  Ｂｌａｃｋ  ＦＷ  １、Ｃｏｌｏｒ  Ｂｌａｃｋ  ＦＷ  １８、Ｃｏｌｏｒ  Ｂｌａｃｋ  Ｓ  １６０、Ｃｏｌｏｒ  Ｂｌａｃｋ  ＦＷ  Ｓ  １７０、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４、Ｐｒｉｎｔｅｘ  Ｕ、Ｐｒｉｎｔｅｘ  １４０Ｕ、Ｐｒｉｎｔｅｘ  Ｖ、及びＰｒｉｎｔｅｘ  １４０Ｖといったブラック顔料。デュポン社から入手可能なＴｉｐｕｒｅ（商標）Ｒ−１０１。
【００２４】
溶媒には、限定はしないが、水溶性有機溶媒が含まれる。当該水溶性有機溶媒として、限定はしないが、脂肪族アルコール、芳香族アルコール、ジオール、グリコールエーテル、ポリ（グリコール）エーテル、ラクタム、ホルムアミド、アセトアミド、長鎖アルコール、エチレングリコール、プロピレングリコール、ジエチレングリコール、トリエチレングリコール、グリセリン、ジプロピレングリコール、グリコールブチルエーテル、ポリエチレングリコール、ポリプロピレングリコール、アミド、エーテル、カルボン酸、エステル、オルガノスルフィド、オルガノスルホキシド、スルホン、アルコール誘導体、カルビトール、ブチルカルビトール、セロソルブ、エーテル誘導体、アミノアルコール、及びケトンを挙げることができる。
【００２５】
例えば、溶媒としては、限定はしないが、炭素数３０以下の第１脂肪族アルコール、炭素数３０以下の第１芳香族アルコール、炭素数３０以下の第２脂肪族アルコール、炭素数３０以下の第２芳香族アルコール、炭素数３０以下の１，２−ジオール、炭素数３０以下の１，３−ジオール、炭素数３０以下の１，５−ジオール、エチレングリコールアルキルエーテル、プロピレングリコールアルキルエーテル、ポリ（エチレングリコール）アルキルエーテル、ポリ（エチレングリコール）アルキルエーテルの高次の同族体、ポリ（プロピレングリコール）アルキルエーテル、ポリ（プロピレングリコール）アルキルエーテルの高次の同族体、ラクタム、置換ホルムアミド、未置換ホルムアミド、置換アセトアミド、及び未置換アセトアミドを挙げることができる。
【００２６】
詳細には、溶媒として、限定はしないが、エトキシル化グリセロール、２−メチル−１，３−プロパンジオール、２−メチル−２，４−ペンタンジオール、１，５−ペンタンジオール、２−ピロリドン、１−（２−ヒドロキシルエチル）−２−ピロリジノン、２−エチル−２−ヒドロキシメチル−１，３−プロパンジオール、ジエチレングリコール、３−メトキシブタノール、及び１，３−ジメチル−２−イミダゾリジノンが挙げられる。また、溶媒として、限定はしないが、１，２−ヘキサンジオール、１，２−オクタンジオール、２，５−ジメチル−３−ヘキシン−２，５−ジオール、トリメチロールプロパン、３−ヘキシン−２，５−ジオール、スルホラン、３−ピリジルカルビノール、及びその他のピリジン誘導体を挙げることもできる。溶媒を付加することで、インクジェット時の水の蒸発速度を低下させて詰まりを最小限としたり、粘度、ｐＨ、表面張力、光学濃度、及び印刷品質などのその他のインクの諸性質を変更することができる。
【００２７】
塩には、限定はしないが、アンモニウム、カリウム、又はリチウムの安息香酸塩；アンモニウム、カリウム、又はリチウムの酢酸塩；リチウム、カリウム、又はリチウムキシレンのスルホン酸塩；ＮＨ４、リチウム、及びカリウムの硝酸塩；アンモニウム、カリウム、又はリチウムの乳酸塩；アンモニウム、カリウム、又はリチウムのクエン酸塩；ナトリウム、リチウム、及びカリウムの炭酸塩；ナトリウム、リチウム、及びカリウムの二リン酸塩；ナトリウム、リチウム、及びカリウムの三リン酸塩；及びそれらの混合物を含むことができる。さらに、当該塩として、限定はしないが、クエン酸塩、コハク酸塩、乳酸塩、ギ酸塩、グルコン酸塩、酒石酸塩、マロン酸塩、フマル酸塩、りんご酸塩、セバシン酸塩、ラウリン酸塩、グルタル酸塩、酢酸塩、オキシ酸塩（ｏｘｙｌａｔｅ）、アジピン酸塩、ピメリン酸塩、スベリン酸塩、アゼライン酸塩、及びそれらの混合物などの化合物のナトリウム、リチウム、及びカリウムの塩を含むことができる。
【００２８】
任意に、種々の緩衝剤又はｐＨ調節剤もまた、ブラック自己分散性顔料インク調合物に用い得る。当該緩衝剤として、限定はしないが、アルカリ金属の水酸化物とアミン（例えば、水酸化リチウム、水酸化ナトリウム、水酸化カリウム、クエン酸）；アミン（例えば、トリエタノールアミン、ジエタノールアミン、及びジメチルエタノールアミン）；塩酸；及びブリード抑制又は光学濃度特性に実質的に干渉しないその他の塩基性あるいは酸性成分を挙げることができる。加えて、市販のｐＨ緩衝剤も使用でき、それらは、シグマアルドリッチ社から入手できるもの（例えば、酸あるいは塩の形態の、ＭＥＳ、ＭＯＰｓ、Ｔｒｉｚｍａ、Ｂｉｓ−Ｔｒｉｓ、ＭＯＰＳＯ、ＴＥＳ、ＴＡＰＳＯ、ＴＥＡ、ＴＲＩＣＩＮＥ、ＢＩＣＩＮＥ、ＴＡＰＳ、及びＡＭＰＳＯ）である。
【００２９】
種々の殺生物剤を用いて、望ましくない微生物の成長を阻害することができる。当該殺生物剤には、限定はしないが、安息香酸塩、ソルビン酸塩、ＮＵＯＳＥＰＴ（ヌデックス社、ヒュルス アメリカ（Ｈｕｌｓ  Ａｍｅｒｉｃａ）社の１部門）、ＵＣＡＲＣＩＤＥ（ユニオンカーバイド社）、ＶＡＮＣＩＤＥ（ＲＴヴァンダービルト社）、及びＰＲＯＸＥＬ（アイシーアイ アメリカ社）のような市販品、及びその他の殺生物剤を含むことができる。
【００３０】
種々の界面活性剤をブラック自己分散性顔料インクに用いることができる。当該界面活性剤には、限定はしないが、アニオン性、ノニオン性、及び両イオン性界面活性剤を含むことができる。アニオン性界面活性剤として、限定はしないが、直鎖脂肪酸のナトリウム又はカリウム塩；ヤシ油脂肪酸のナトリウム又はカリウム塩；トール油脂肪酸のナトリウム又はカリウム塩；アミン塩；アシル化ポリペプチド；直鎖アルキルベンゼンスルホネート；高級アルキルベンゼンスルホネート；ベンゼン；トルエン；キシレン；クメンスルホネート；リグノスルホネート；石油スルホネート；Ｎ−アシル−ｎ−アルキルタウレート；パラフィンスルホネート；第２級ｎ−アルカンスルホネート；アルファオレフィンスルホネート；スルホコハク酸エステル；アルキルナフタレンスルホネート；イソチオネート；硫酸エステル塩；硫酸化ポリオキシエチレン化直鎖アルコール；硫酸化トリグリセリド油；リン酸及びポリリン酸エステル；及び過フッ素化アニオン界面活性剤を挙げることができる。
【００３１】
ノニオン性界面活性剤として、限定はしないが、アルキルフェノールエトキシレート、ポリオキシエチレネート（ｐｏｌｙｏｘｙｅｔｈｙｌｅｎａｔｅ）、直鎖アルコールエトキシレート、ポリオキシエチレン化ポリオキシプロピレングリコール、ポリオキシエチレン化メルカプタン、長鎖カルボン酸エステル、天然及び脂肪酸のグリセリル及びポリグリセリルエステル、プロピレングリコール、ソルビトール及びポリオキシエチレン化ソルビトールエステル、ポリオキシエチレングリコールエステル及びポリオキシエチレン化脂肪酸、アルカノールアミン凝縮物、アルカノールアミド、第３級アセチレングリコール、ポリオキシエチレン化シリコーン、Ｎ−アルキルピロリドン及びアルキルポリグリコシドを挙げることができる。
【００３２】
両イオン性界面活性剤には、限定はしないが、ベータ−Ｎ−アルキルアミノプロピオン酸、Ｎ−アルキル−ベータ−アミノジプロピオン酸、イミダゾリンカルボン酸塩、Ｎ−アルキルベタイン、アミンオキシド、スルホベタイン及びスルタイン（ｓｕｌｔａｉｎ）界面活性剤を含むことができる。
【００３３】
さらに、ブラック自己分散性顔料インクを印刷媒体に固定化する働きのあるバインダーを含有することができる。当該バインダーには、限定はしないが、約２００ＭＷ〜約１００００ＭＷの分子量（ＭＷ）の化合物を含むことができる。当該バインダーとして、限定はしないが、ポリエステル、ポリエステル−メラミン、スチレン−アクリル酸コポリマー、スチレン−アクリル酸−アルキルアクリレートコポリマー、スチレン−マレイン酸コポリマー、スチレン−マレイン酸−アルキルアクリレートコポリマー、スチレン−メタクリル酸コポリマー、スチレン−メタクリル酸−アルキルアクリレートコポリマー、スチレン−マレイン酸半エステルコポリマー、ビニルナフタレン−アクリル酸コポリマー、ビニルナフタレン−マレイン酸コポリマー、及びそれらの塩を挙げることができる。
【００３４】
一実施形態では、ブラック自己分散性顔料インク調合物は、当該調合物の約０．５〜６ｗｔ％の量のブラック自己分散性顔料と、当該調合物の約１０〜３５ｗｔ％の量の溶媒と、当該調合物の約０．０１〜６ｗｔ％の量の塩とを含むことができ、また、当該調合物の残余は水である。別の実施形態では、ブラック自己分散性顔料インク調合物は、当該調合物の約０．５〜６ｗｔ％の量のブラック自己分散性顔料と、当該調合物の約１０〜３５ｗｔ％の量の溶媒と、当該調合物の約０．０１〜６ｗｔ％の量の塩と、当該調合物の約０〜０．５ｗｔ％の量の緩衝剤と、当該調合物の約０〜３ｗｔ％の量の界面活性剤と、当該調合物の約０〜０．３ｗｔ％の量の殺生物剤とを含むことができ、また、当該調合物の残余は水である。ブラック自己分散性顔料インク調合物は、その他の成分も含有し得ることに留意されたい。
【００３５】
別の実施形態では、ブラック自己分散性顔料インク調合物は、当該調合物の約１〜６ｗｔ％の量のブラック自己分散性顔料と、当該調合物の約０．１〜４．５ｗｔ％の量のエトキシル化グリセロールと、当該調合物の約０．１〜１０ｗｔ％の量の２−ピロリジノンと、当該調合物の約０．１〜１０ｗｔ％の量の１，５−ペンタンジオールと、当該調合物の約０．１〜１．５ｗｔ％の量の２−メチル−１，３−プロパンジオールと、当該調合物の約０．００１〜０．３ｗｔ％の量のＳｕｒｆｙｎｏｌ  ４６５と、当該調合物の約０．１〜５ｗｔ％の量の２−メチル−２，４−ペンタンジオールと、当該調合物の約０〜１．５ｗｔ％の量の安息香酸アンモニウムと、当該調合物の約０〜１．５ｗｔ％の量の酢酸カリウムと、当該調合物の約０〜１．５ｗｔ％の量の酢酸アンモニウムと、当該調合物の約０〜１．５ｗｔ％の量の硫酸アンモニウムと、当該調合物の約０〜０．３ｗｔ％の量のＴＲＩＳ緩衝剤と、当該調合物の約０〜０．１ｗｔ％の量のＰｒｏｘｅｌ  ＧＸＬとを含むことができ、当該調合物の残余は水である。
【００３６】
カラーインクには、限定はないが、染料系インク及び顔料系インクを含むことができる。染料系インク及び顔料系インクは、非イオン性、カチオン性、アニオン性、又はそれらの混合物とし得る。本開示を実践するにあたり、インクジェット印刷用のカラーの染料系インク及び顔料系インクを用いることができる。当該カラーインクとしては、種々の水溶性の酸性染料並びに直接染料を挙げることができる。限定するものではなく、単に説明する目的で、当該目的に適する幾つかの代表的な着色剤を以下に挙げる。
【００３７】
そのような染料の具体例には、Ｄｉｒｅｃｔ  Ｙｅｌｌｏｗ  ８６、Ａｃｉｄ  Ｒｅｄ  ２４９、Ｄｉｒｅｃｔ  Ｂｌｕｅ  １９９、Ｄｉｒｅｃｔ  Ｂｌａｃｋ  １６８、及びＤｉｒｅｃｔ  Ｙｅｌｌｏｗ  １３２をはじめとする、アビシア社から入手可能なＰｒｏ−Ｊｅｔシリーズの染料；Ａｍｉｎｙｌ  Ｂｒｉｌｌｉａｎｔ  Ｒｅｄ  Ｆ−Ｂ（住友化学社）；ヘキスト社から入手可能なＤｕａｓｙｎ系列の「塩フリー」染料、例えば、Ｒｅａｃｔｉｖｅ  Ｂｌａｃｋ  ３１、Ｄｉｒｅｃｔ  Ｙｅｌｌｏｗ  １５７、Ｒｅａｃｔｉｖｅ  Ｙｅｌｌｏｗ  ３７、Ａｃｉｄ  Ｙｅｌｌｏｗ  ２３、Ｒｅａｃｔｉｖｅ  Ｒｅｄ  １８０、Ａｃｉｄ  Ｒｅｄ  ５２、及びＡｃｉｄ  Ｂｌｕｅ  ９；並びにそれらの混合物等が含まれる。さらに他の例として、Ｔｒｉｃｏｎ  Ａｃｉｄ  Ｒｅｄ  ５２、Ｔｒｉｃｏｎ  Ｄｉｒｅｃｔ  Ｒｅｄ  ２２７、及びＴｒｉｃｏｎ  Ａｃｉｄ  Ｙｅｌｌｏｗ  １７（トリコンカラーズ社）、Ｂｅｒｎａｃｉｄ  Ｒｅｄ  ２ＢＭＮ、  Ｐｏｎｔａｍｉｎｅ  Ｂｒｉｌｌｉａｎｔ  Ｂｏｎｄ  Ｂｌｕｅ  Ａ、ＢＡＳＦ  Ｘ−３４、Ｐｏｎｔａｍｉｎｅ、Ｆｏｏｄ  Ｂｌａｃｋ  ２、Ｃａｔｏｄｉｒｅｃｔ  Ｔｕｒｑｕｏｉｓｅ  ＦＢＬ  Ｓｕｐｒａ  Ｃｏｎｃ．（Ｄｉｒｅｃｔ  Ｂｌｕｅ  １９９、カロライナ カラー アンド ケミカル（Ｃａｒｏｌｉｎａ  Ｃｏｌｏｒ  ａｎｄ  Ｃｈｅｍｉｃａｌ）社）、Ｄｉｒｅｃｔ  Ｂｌｕｅ  ８６（モバイケミカル社）、Ｒｅａｃｔｉｖｅ  Ｒｅｄ  ４（アルドリッチ社）、Ｒｅａｃｔｉｖｅ  Ｒｅｄ  ５６（パイラム社）、Ｌｅｖａｆｉｘ  Ｂｒｉｌｌｉａｎｔ  Ｒｅｄ  Ｅ−４Ｂ（モバイケミカル社）、Ｌｅｖａｆｉｘ  Ｂｒｉｌｌｉａｎｔ  Ｒｅｄ  Ｅ−６ＢＡ（モバイケミカル社）、Ｐｙｌａｍ  Ｃｅｒｔｉｆｉｅｄ  Ｄ＆Ｃ  Ｒｅｄ＃２８（Ａｃｉｄ  Ｒｅｄ  ９２、パイラム社）、Ｄｉｒｅｃｔ  Ｂｒｉｌｌ  Ｐｉｎｋ  Ｂ  Ｇｒｏｕｎｄ  Ｃｒｕｄｅ（クロンプトン アンド ノールズ（Ｃｒｏｍｐｔｏｎ  ＆  Ｋｎｏｗｌｅｓ）社）、Ｃａｒｔａｓｏｌ  Ｙｅｌｌｏｗ  ＧＴＦ  Ｐｒｅｓｓｃａｋｅ（サンド社）、Ｔａｒｔｒａｚｉｎｅ  Ｅｘｔｒａ  Ｃｏｎｃ．（ＦＤ＆Ｃ  Ｙｅｌｌｏｗ＃５、Ａｃｉｄ  Ｙｅｌｌｏｗ  ２３、サンド社）、Ｄｉｒｅｃｔ  Ｙｅｌｌｏｗ  ８６（カロライナ カラー アンド ケミカル社）、Ｃａｒｔａｓｏｌ  Ｙｅｌｌｏｗ  ＧＴＦ  Ｌｉｑｕｉｄ  Ｓｐｅｃｉａｌ  １１０（サンド社）、Ｄ＆Ｃ  Ｙｅｌｌｏｗ  ＃１０（Ｙｅｌｌｏｗ  ３、トリコン社）、Ｙｅｌｌｏｗ  Ｓｈａｄｅ  １６９４８（トリコン社）、Ｂａｓａｃｉｄ  Ｂｌａｃｋ  Ｘ３４（バスフ社）、Ｃａｒｔａ  Ｂｌａｃｋ  ２ＧＴ（サンド社）、Ｎｅｏｚａｐｏｎ  Ｒｅｄ  ４９２（バスフ社）、Ｏｒａｓｏｌ  Ｒｅｄ  Ｇ（チバガイギー社）、Ｄｉｒｅｃｔ  Ｂｒｉｌｌｉａｎｔ  Ｐｉｎｋ  Ｂ（クロンプトン アンド ノールズ社）、Ａｉｚｅｎ  Ｓｐｉｌｏｎ  Ｒｅｄ  Ｃ−ＢＨ（保土ヶ谷化学社）、Ｋａｙａｎｏｌ  Ｒｅｄ  ３ＢＬ（日本化薬社）、Ｌｅｖａｎｏｌ  Ｂｒｉｌｌｉａｎｔ  Ｒｅｄ  ３ＢＷ（モバイケミカル社）、Ｌｅｖａｄｅｒｍ  Ｌｅｍｏｎ  Ｙｅｌｌｏｗ（モバイケミカル社）、Ａｉｚｅｎ  Ｓｐｉｌｏｎ  Ｙｅｌｌｏｗ  Ｃ−ＧＮＨ（保土ヶ谷化学社）、Ｓｐｉｒｉｔ  Ｆａｓｔ  Ｙｅｌｌｏｗ  ３Ｇ，Ｓｉｒ��ｕｓ  Ｓｕｐｒａ  Ｙｅｌｌｏｗ  ＧＤ  １６７，Ｃａｒｔａｓｏｌ  Ｂｒｉｌｌｉａｎｔ  Ｙｅｌｌｏｗ  ４ＧＦ（サンド社）、Ｐｅｒｇａｓｏｌ  Ｙｅｌｌｏｗ  ＣＧＰ（チバガイギー社）、Ｏｒａｓｏｌ  Ｂｌａｃｋ  ＲＬ（チバガイギー社）、Ｏｒａｓｏｌ  Ｂｌａｃｋ  ＲＬＰ（チバガイギー社）、Ｓａｖｉｎｙｌ  Ｂｌａｃｋ  ＲＬＳ（サンド社）、Ｄｅｒｍａｃａｒｂｏｎ  ２ＧＴ（サンド社）、Ｐｙｒａｚｏｌ  Ｂｌａｃｋ  ＢＧ（アイシーアイ アメリカ社）、Ｍｏｒｆａｓｔ  Ｂｌａｃｋ  Ｃｏｎｃ  Ａ（モートン−チオコール（Ｍｏｒｔｏｎ−Ｔｈｉｏｋｏｌ）社）、Ｄｉａｚｏｌ  Ｂｌａｃｋ  ＲＮ  Ｑｕａｄ（アイシーアイ アメリカ社）、Ｏｒａｓｏｌ  Ｂｌｕｅ  ＧＮ（チバガイギー社）、Ｓａｖｉｎｙｌ  Ｂｌｕｅ  ＧＬＳ（サンド社）、Ｌｕｘｏｌ  Ｂｌｕｅ  ＭＢＳＮ（Ｍｏｒｔｏｎ−Ｔｈｉｏｋｏｌ）、Ｓｅｖｒｏｎ  Ｂｌｕｅ  ５ＧＭＦ（アイシーアイ アメリカ社）、及びＢａｓａｃｉｄ  Ｂｌｕｅ  ７５０（バスフ社）；全てバイエル社から入手可能な、Ｌｅｖａｆｉｘ  Ｂｒｉｌｌｉａｎｔ  Ｙｅｌｌｏｗ  Ｅ−ＧＡ、Ｌｅｖａｆｉｘ  Ｙｅｌｌｏｗ  Ｅ２ＲＡ、Ｌｅｖａｆｉｘ  Ｂｌａｃｋ  ＥＢ、Ｌｅｖａｆｉｘ  Ｂｌａｃｋ  Ｅ−２Ｇ、Ｌｅｖａｆｉｘ  Ｂｌａｃｋ  Ｐ−３６Ａ、Ｌｅｖａｆｉｘ  Ｂｌａｃｋ  ＰＮ−Ｌ、Ｌｅｖａｆｉｘ  Ｂｒｉｌｌｉａｎｔ  Ｒｅｄ  Ｅ６ＢＡ、及びＬｅｖａｆｉｘ  Ｂｒｉｌｌｉａｎｔ  Ｂｌｕｅ  ＥＦＦＡ；全てアイシーアイ アメリカ社から入手可能な、Ｐｒｏｃｉｏｎ  Ｔｕｒｑｕｏｉｓｅ  ＰＡ、Ｐｒｏｃｉｏｎ  Ｔｕｒｑｕｏｉｓｅ  ＨＡ、Ｐｒｏｃｉｏｎ  Ｔｕｒｑｕｏｉｓｅ  Ｈｏ５Ｇ、Ｐｒｏｃｉｏｎ  Ｔｕｒｑｕｏｉｓｅ  Ｈ−７Ｇ、Ｐｒｏｃｉｏｎ  Ｒｅｄ  ＭＸ−５Ｂ、Ｐｒｏｃｉｏｎ  Ｒｅｄ  Ｈ８Ｂ（Ｒｅａｃｔｉｖｅ  Ｒｅｄ  ３１）、Ｐｒｏｃｉｏｎ  Ｒｅｄ  ＭＸ  ８Ｂ  ＧＮＳ、Ｐｒｏｃｉｏｎ  Ｒｅｄ  Ｇ、Ｐｒｏｃｉｏｎ  Ｙｅｌｌｏｗ  ＭＸ−８Ｇ、Ｐｒｏｃｉｏｎ  Ｂｌａｃｋ  Ｈ−ＥＸＬ、Ｐｒｏｃｉｏｎ  Ｂｌａｃｋ  Ｐ−Ｎ、Ｐｒｏｃｉｏｎ  Ｂｌｕｅ  ＭＸ−Ｒ、Ｐｒｏｃｉｏｎ  Ｂｌｕｅ  ＭＸ−４ＧＤ、Ｐｒｏｃｉｏｎ  Ｂｌｕｅ  ＭＸ−Ｇ、及びＰｒｏｃｉｏｎ  Ｂｌｕｅ  ＭＸ−２ＧＮ；全てチバガイギー社から入手可能な、Ｃｉｂａｃｒｏｎ  Ｒｅｄ  Ｆ−Ｂ、Ｃｉｂａｃｒｏｎ  Ｂｌａｃｋ  ＢＧ、Ｌａｎａｓｏｌ  Ｂｌａｃｋ  Ｂ、Ｌａｎａｓｏｌ  Ｒｅｄ  ５Ｂ、Ｌａｎａｓｏｌ  Ｒｅｄ  Ｂ、及びＬａｎａｓｏｌ  Ｙｅｌｌｏｗ  ４６；全てバスフ社から入手可能な、Ｂａｓｌｉｅｎ  Ｂｌａｃｋ  Ｐ−ＢＲ、Ｂａｓｌｉｅｎ  Ｙｅｌｌｏｗ  ＥＧ、Ｂａｓｌｉｅｎ  Ｂｒｉｌｌｉａｎｔ  Ｙｅｌｌｏｗ  Ｐ−３ＧＮ、Ｂａｓｌｉｅｎ  Ｙｅｌｌｏｗ  Ｍ−６ＧＤ、Ｂａｓｌｉｅｎ  Ｂｒｉｌｌｉａｎｔ  Ｒｅｄ  Ｐ−３Ｂ、Ｂａｓｌｉｅｎ  Ｓｃａｒｌｅｔ  Ｅ−２Ｇ、Ｂａｓｌｉｅｎ  Ｒｅｄ  Ｅ−Ｂ、Ｂａｓｌｉｅｎ  Ｒｅｄ  Ｅ−７Ｂ、Ｂａｓｌｉｅｎ  Ｒｅｄ  Ｍ−５Ｂ、Ｂａｓｌｉｅｎ  Ｂｌｕｅ  Ｅ−Ｒ、Ｂａｓｌｉｅｎ  Ｂｒｉｌｌｉａｎｔ  Ｂｌｕｅ  Ｐ−３Ｒ、Ｂａｓｌｉｅｎ  Ｂｌａｃｋ  Ｐ−ＢＲ、Ｂａｓｌｉｅｎ  Ｔｕｒｑｕｏｉｓｅ  Ｂｌｕｅ  Ｐ−ＧＲ、Ｂａｓｌｉｅｎ  Ｔｕｒｑｕｏｉｓｅ  Ｍ−２Ｇ、Ｂａｓｌｉｅｎ  Ｔｕｒ���ｕｏｉｓｅ  Ｅ−Ｇ、及びＢａｓｌｉｅｎ  Ｇｒｅｅｎ  Ｅ−６Ｂ；全て住友化学社から入手可能な、Ｓｕｍｉｆｉｘ  Ｔｕｒｑｕｏｉｓｅ  Ｂｌｕｅ  Ｇ、Ｓｕｍｉｆｉｘ  Ｔｕｒｑｕｏｉｓｅ  Ｂｌｕｅ  Ｈ−ＧＦ、Ｓｕｍｉｆｉｘ  Ｂｌａｃｋ  Ｂ、Ｓｕｍｉｆｉｘ  Ｂｌａｃｋ  Ｈ−ＢＧ、Ｓｕｍｉｆｉｘ  Ｙｅｌｌｏｗ  ２ＧＣ、Ｓｕｍｉｆｉｘ  Ｓｕｐｒａ  Ｓｃａｒｌｅｔ  ２ＧＦ、及びＳｕｍｉｆｉｘ  Ｂｒｉｌｌｉａｎｔ  Ｒｅｄ  ５ＢＦ；全てクロンプトン アンド ノールズ社の染料、化成品部門から入手可能な、Ｉｎｔｒａｃｒｏｎ  Ｙｅｌｌｏｗ  Ｃ−８Ｇ、Ｉｎｔｒａｃｒｏｎ  Ｒｅｄ  Ｃ−８Ｂ、Ｉｎｔｒａｃｒｏｎ  Ｔｕｒｑｕｏｉｓｅ  Ｂｌｕｅ  ＧＥ、Ｉｎｔｒａｃｒｏｎ  Ｔｕｒｑｕｏｉｓｅ  ＨＡ、及びＩｎｔｒａｃｒｏｎ  Ｂｌａｃｋ  ＲＬ；並びにそれらの混合物等が含まれる。当該リストは、単なる例示であって、本発明の範囲を限定するものと考えるべきではない。
【００３８】
本明細書においては、比、濃度、量、及びその他の数値データを範囲形式で提示していることに留意されたい。そのような範囲形式は、便利且つ簡潔のために用いており、範囲の限界値として明記した数値を含むだけでなく、各数値及び副範囲があたかも明記されているようにその範囲内に包含される個別の数値又は副範囲を全て包含するものと柔軟に解釈すべきことを理解されたい。例を挙げれば、「約０．１％〜約５％」という濃度範囲は、約０．１ｗｔ％、約５ｗｔ％という明記した濃度限界値を含むだけではなくて、その表示範囲内の個別濃度（例えば、１％、２％、３％、及び４％）及び副範囲（例えば、０．５％、１．１％、２．２％、３．３％、及び４．４％）を含むものと解釈されたい。
【００３９】
上述の実施形態に対し、多くの変更並びに修正を施すことができる。そのような修正及び変更は、全て、本開示に包含され且つ添付の特許請求の範囲によって保護されるものとする。
【図面の簡単な説明】
【００４０】
【図１】プリンタシステムの一実施形態
【図２】図１記載のプリンタシステムにおいて用い得る、印刷ヘッドの一実施形態
【図３】図１記載のプリンタシステムを用いてインクを分配するための代表的実施形態のフロー図
【符号の説明】
【００４１】
１０  プリンタシステム
１４  インク分配システム
２０  印刷ヘッド
２２  オリフィスプレート
【図１】
2005349829.tif 000003
【図２】
2005349829.tif 000004
【図３】
2005349829.tif 000005